(57)【特許請求の範囲】
【請求項１】
それぞれが前方に開口する上下に複数段の収納室と、これら収納室の開口をそれぞれに開閉する施解錠可能とされた扉と、を備え、
前記複数段の収納室は、開口幅寸法及び開口高寸法がそれぞれ略同一寸法とされ、前記複数段の収納室の各扉は、それぞれ略同寸同一形状とされており、かつ下段側の収納室を上段側の収納室よりも奥行寸法が大きくなるように前方に向けて突出させて該下段側の収納室に突出収納部を設けた構成とされ、
前記上段側の収納室を上下に複数段設けるとともに、前記下段側の収納室を上下に複数段設けた構成とし、これら複数段の下段側の収納室の段数を上段側の収納室の段数よりも多くした構成とされ、
当該ロッカー装置の設置面から最上段の下段側の収納室の突出収納部の上面までの高さ寸法を、成人の腰高さ程度としたことを特徴とするロッカー装置。
【請求項２】
請求項１において、
当該ロッカー装置の下端部に、該下端部の前方に蹴込み状空間を形成するように前面を前記下段側の収納室の前面よりも後退させた台輪状部を更に設けたことを特徴とするロッカー装置。
【発明の詳細な説明】
【技術分野】
【０００１】
本発明は、施解錠可能とされた扉をそれぞれに設けた複数の収納室を備えたロッカー装置に関する。
【背景技術】
【０００２】
従来より、施解錠可能とされた扉をそれぞれに設けた複数の収納室を備えたロッカー装置が知られている（例えば、下記特許文献１及び下記特許文献２参照）。
【先行技術文献】
【特許文献】
【０００３】
【特許文献１】実用新案登録第３１６４４９０号公報
【特許文献２】実開平１−１６４５９０号公報
【発明の概要】
【発明が解決しようとする課題】
【０００４】
ところで、このような複数の収納室からなるロッカー装置は、その前面側が略平坦面とされ、それぞれの収納室の奥行寸法が同一寸法とされている。このようなロッカー装置において収納室毎の収納容量を変える場合には、例えば、一部の収納室の開口高を大きくすることも考えられる。しかしながら、このような場合には、ロッカー装置自体の高さ寸法が高くなる傾向があり、また、上段側の収納室に被収納物を出し入れする際に負担が大きくなるという問題もあった。
【０００５】
本発明は、上記実情に鑑みてなされたものであり、収納容量の異なる複数の収納室を効率的に設け得るとともに使い勝手を向上し得るロッカー装置を提供することを目的としている。
【課題を解決するための手段】
【０００６】
上記目的を達成するために、本発明に係るロッカー装置は、それぞれが前方に開口する上下に複数段の収納室と、これら収納室の開口をそれぞれに開閉する施解錠可能とされた扉と、を備え、前記複数段の収納室は、開口幅寸法及び開口高寸法がそれぞれ略同一寸法とされ、前記複数段の収納室の各扉は、それぞれ略同寸同一形状とされており、かつ下段側の収納室を上段側の収納室よりも奥行寸法が大きくなるように前方に向けて突出させて該下段側の収納室に突出収納部を設けた構成とされ、前記上段側の収納室を上下に複数段設けるとともに、前記下段側の収納室を上下に複数段設けた構成とし、これら複数段の下段側の収納室の段数を上段側の収納室の段数よりも多くした構成とされ、当該ロッカー装置の設置面から最上段の下段側の収納室の突出収納部の上面までの高さ寸法を、成人の腰高さ程度としたことを特徴とする。
【０００７】
本発明においては、当該ロッカー装置の下端部に、該下端部の前方に蹴込み状空間を形成するように前面を前記下段側の収納室の前面よりも後退させた台輪状部を更に設けてもよい。
【発明の効果】
【０００８】
本発明に係るロッカー装置は、上述のような構成としたことで、収納容量の異なる複数の収納室を効率的に設けることができるとともに使い勝手を向上させることができる。
【図面の簡単な説明】
【０００９】
【図１】（ａ）、（ｂ）は、いずれも本発明の一実施形態に係るロッカー装置の一例を模式的に示し、（ａ）は、概略正面図、（ｂ）は、概略側面図である。
【図２】図１（ａ）におけるＸ−Ｘ線矢視に対応させた概略縦断面図である。
【図３】同ロッカー装置の概略斜視図である。
【図４】同ロッカー装置の概略分解斜視図である。
【発明を実施するための形態】
【００１０】
以下に本発明の実施の形態について、図面に基づいて説明する。
なお、以下の実施形態では、それぞれが同方向に向けて開口するロッカー装置の各収納室の開口に対面した使用者を基準として、手前側を前方、その逆側を後方とし、また、その状態を基準として、上下方向及び左右方向等の方向を原則的に説明する。
【００１１】
図１〜図４は、本実施形態に係るロッカー装置の一例を模式的に示す図である。
本実施形態に係るロッカー装置１は、それぞれが前方に開口する上下に複数段の収納室１０，２０と、これら収納室１０，２０の開口をそれぞれに開閉する施解錠可能とされた扉１７，２７と、を備えている。
また、ロッカー装置１は、図１（ｂ）に示すように、下段側の収納室２０を、上段側の収納室１０よりも奥行寸法が大きくなるように前方に向けて突出させてこの下段側の収納室２０に突出収納部２６を設けている。つまり、下段側収納室２０の奥行寸法（内寸）Ｄ２を、上段側収納室１０の奥行寸法（内寸）Ｄ１よりも大きくするようにして下段側収納室２０の前方側部位に、上段側収納室１０よりも前方側に突出する突出収納部２６を設けている。
【００１２】
上記のような構成とすることで、収納容量の異なる複数の収納室を効率的に設けることができるとともに使い勝手を向上させることができる。
つまり、収納室毎に高さ寸法を変えて収納容量を変える構成と比べて、当該ロッカー装置１自体の高さ寸法を比較的に低くすることができ、収納容量の異なる複数の収納室を効率的に設けることができる。つまりは、当該ロッカー装置１の高さを抑えながらも上下の収納室１０，２０の段数を効率的に確保することができる。また、下段側収納室２０を奥行方向に大きくしているので、例えば、長尺の被収納物を収納した際に、収納室を縦長とする構成と比べて、扉２７の開放時等における被収納物の前方側への倒れ等を抑制することができ、安全性を向上させることもできる。
また、下段側収納室２０に、上記のような突出収納部２６を設けているので、下段側収納室２０と上段側収納室１０との境に段差部が形成される。従って、この段差部に荷物等の被収納物を仮置き等することができ、使い勝手を向上させることができる。例えば、上段側収納室１０に被収納物を出し入れ等する際に、上記段差部に仮置き等することができるので、使い勝手を向上させることができる。
【００１３】
また、本実施形態では、上段側収納室１０の前面１７ａから下段側収納室２０の前面２７ａまでの突出寸法Ｄ３を、上段側収納室１０の奥行寸法Ｄ１の１／２以上としている。このような構成とすることで、例えば、上段側収納室１０の奥行寸法Ｄ１と同程度の奥行寸法の被収納物を上記した段差部に仮置き等する際に、この被収納物の１／２以上を載置することができ、比較的に安定して仮置き等することができる。
【００１４】
本実施形態では、図２に示すように、各収納室１０，２０を開閉する各扉１７，２７を、各収納室１０，２０の前面（前方開口縁前面）１５，２５側を覆うように各収納室１０，２０の前面１５，２５側において開閉自在としている（図４も参照）。つまり、各扉１７，２７を閉鎖させた状態において、各収納室１０，２０の前方開口内に各扉１７，２７が納められるいわゆるインセット納めではなく、各収納室１０，２０の前方開口縁手前に各扉１７，２７が納められるアウトセット納めとした例を示している。そのため、上段側収納室１０の前面１７ａを、当該上段側収納室１０の前方開口を開閉する閉状態の扉１７の前面１７ａとして把握し、下段側収納室２０の前面２７ａを、当該下段側収納室２０の前方開口を開閉する閉状態の扉２７の前面２７ａとして把握している。なお、各収納室１０，２０の各扉１７，２７を、インセット納めとした場合には、上記各前面（１７ａ，２７ａ）を、各収納室１０，２０の前方開口縁前面（１５，２５）として把握するようにしてもよい。
【００１５】
上段側収納室１０の奥行寸法Ｄ１としては、当該ロッカー装置１が設置される箇所や当該ロッカー装置１の使用態様等に応じて、適宜、設定可能である。この上段側収納室１０の奥行寸法Ｄ１を、例えば、２００ｍｍ〜５００ｍｍ程度としてもよく、図例では、３００ｍｍ程度とした例を示している。また、上記突出寸法Ｄ３としては、突出収納部２６によって形成される上記段差部に被収納物を安定的に載置する観点や上段側収納室１０の使い勝手の観点、設置スペースの観点等から、上段側収納室１０の奥行寸法Ｄ１の１／２以上〜３倍以下程度としてもよい。図例では、突出寸法Ｄ３を、２００ｍｍ程度とした例を示している。
【００１６】
また、本実施形態では、下段側収納室２０の奥行寸法Ｄ２を、上段側収納室１０の奥行寸法Ｄ１の２倍未満としている。このような構成とすることで、上段側収納室１０に収納される被収納物を仮置き等するために必要となる段差部の奥行寸法を確保しながらも下段側収納室２０の突出寸法を比較的に小さくすることができる。また、上段側収納室１０の奥行寸法Ｄ１と同程度の奥行寸法の２つの被収納物を、１つの下段側収納室２０に入れ難くすることができ、当該ロッカー装置１の稼働率を向上させることもできる。
この下段側収納室２０の奥行寸法Ｄ２としては、上記同様の観点や突出寸法Ｄ３、扉の納め態様等に応じて、適宜、設定可能である。この下段側収納室１０の奥行寸法Ｄ２を、例えば、３００ｍｍ〜１０００ｍｍ程度としてもよく、図例では、５００ｍｍ程度とした例を示している。
【００１７】
また、本実施形態では、上段側収納室１０を上下に複数段設け、下段側収納室２０を上下に複数段設けた構成としている。このような構成とすることで、複数段の上段側収納室１０及び複数段の下段側収納室２０を利用して荷物等の被収納物を収納することができる。
複数段の上段側収納室１０は、図２及び図４に示すように、それぞれ略同様の構成とされており、上板部１１、底板部１２、左右の側板部１３，１３及び背板部１４によって収納空間が区画され、前方に開口する略直方体箱形状とされている。
複数段の下段側収納室２０は、図２及び図４に示すように、それぞれ略同様の構成とされており、上板部２１、底板部２２、左右の側板部２３，２３及び背板部２４によって収納空間が区画され、前方に開口する略直方体箱形状とされている。
【００１８】
また、本実施形態では、最上段の下段側収納室２０の突出収納部２６の上面３ａを当該ロッカー装置１の高さ寸法Ｈ１の１／２以上の高さに位置させている。つまり、当該ロッカー装置１の設置面から最上段の下段側収納室２０の突出収納部２６の上面３ａまでの高さ寸法Ｈ２を、ロッカー装置１の高さ寸法Ｈ１の１／２以上としている。このような構成とすれば、上記段差部がロッカー装置１全体の中間高さ位置または中間高さ位置よりも上方側に位置することとなる。従って、当該ロッカー装置１の前方側を人が通行等する際に、突出した複数段の下段側収納室２０が視界に入り易くなり、当該ロッカー装置１に人等がぶつかる恐れを低減することができる。
【００１９】
当該ロッカー装置１の高さ寸法Ｈ１としては、当該ロッカー装置１が設置される箇所や当該ロッカー装置１の使用態様、上段側収納室１０の使い勝手の観点等に応じて、適宜、設定可能である。当該ロッカー装置１の高さ寸法Ｈ１を、例えば、１０００ｍｍ〜２０００ｍｍ程度としてもよく、図例では、１６００ｍｍ程度とした例を示している。また、このロッカー装置１の高さ寸法Ｈ１に応じて、ロッカー装置１の設置面から最上段の下段側収納室２０の突出収納部２６の上面３ａまでの高さ寸法Ｈ２が、ロッカー装置１の高さ寸法Ｈ１の１／２以上となるように適宜、設定するようにしてもよい。また、ロッカー装置１の設置面から最上段の下段側収納室２０の突出収納部２６の上面３ａまでの高さ寸法Ｈ２を、成人の腰高さ（例えば、８００ｍｍ〜１２００ｍｍ）程度としてもよく、図例では、１０００ｍｍ程度とした例を示している。これによれば、上記段差部に被収納物を仮置き等する際における使い勝手をより向上させることができる。また、例えば、該段差部を利用して、メモ書き等をする際にもメモ書き等し易くなる。
【００２０】
また、本実施形態では、図１（ａ）に示すように、これら上段側収納室１０及び下段側収納室２０の開口幅寸法Ｗ及び開口高寸法Ｈをそれぞれ略同一寸法としている（図４も参照）。つまり、これら上下の収納室１０，２０は、それぞれの開口寸法が略同一寸法ではあるが、上段側収納室１０よりも下段側収納室２０の奥行寸法が大きいため、上段側収納室１０よりも下段側収納室２０の容積（収納容量）が大きくなることとなる。このような構成とすることで、前面側から見た際に煩雑な印象を与え難くなり、見栄えを向上させることができる。
【００２１】
これら各収納室１０，２０の開口幅寸法Ｗとしては、当該ロッカー装置１が設置される箇所や当該ロッカー装置１の使用態様、各収納室１０，２０の段数、上段側収納室１０の使い勝手の観点等に応じて、適宜、設定可能である。これら各収納室１０，２０の開口幅寸法Ｗを、例えば、２００ｍｍ〜８００ｍｍ程度としてもよく、図例では、４００ｍｍ程度とした例を示している。また、これら各収納室１０，２０の開口高寸法Ｈも同様、例えば、２００ｍｍ〜６００ｍｍ程度としてもよく、図例では、３００ｍｍ程度とした例を示している。
【００２２】
また、上下にそれぞれ複数段設けられる各収納室１０，２０の段数としては、当該ロッカー装置１が設置される箇所や当該ロッカー装置１の使用態様、上段側収納室１０の使い勝手の観点等に応じて、適宜、設定可能である。例えば、上記のように各収納室１０，２０の開口高寸法Ｈを略同一寸法とした場合には、上段側収納室１０の段数と下段側収納室２０の段数とを同じ段数としてもよいが、本実施形態では、下段側収納室２０の段数を上段側収納室１０の段数よりも多くしている。このような構成とすることで、上記段差部がロッカー装置１全体の中間高さ位置よりも上方側に位置することとなり、上記同様の効果を奏する。これら上段側及び下段側の各収納室１０，２０の段数は、下段側収納室２０の段数を多くし過ぎれば、上段側収納室１０の使い勝手が悪くなる傾向があることから、例えば、下段側収納室２０の段数を上段側収納室１０の段数よりも一段のみ多くする態様としてもよい。図例では、下段側収納室２０の段数を３段とし、上段側収納室１０の段数を２段とした例を示している。なお、各収納室１０，２０の段数としては、図例の段数に限られず、各収納室１０，２０の開口寸法や使い勝手等に応じて適宜、設定可能である。
【００２３】
なお、図例では、複数段の上段側収納室１０及び複数段の下段側収納室２０の各背板部１４，２４を共通の板材からなるものとしたような例を示しているが、このような態様に限られず、収納室毎に別の板材からなる背板部を設ける態様としてもよい。また、左右の側板部１３，１３，２３，２３も同様、各収納室共通の板材からなるものとしてもよく、または、収納室毎に別の板材からなる側板部を設ける態様としてもよい。また、図例では、上下に隣接する収納室の底板部１２（２２）と上板部１１（２１）とを共通の板材からなるものとしたような例を示しているが、このような態様に限られず、それぞれを別の板材からなるものによって構成する態様としてもよい。
【００２４】
上下の収納室１０，２０の前方開口をそれぞれに開閉する各扉１７，２７は、本実施形態では、それぞれ略同寸同一形状とされている。つまり、各扉１７，２７は、同一モジュールとされ、各収納室１０，２０の前方開口に応じた寸法とされるとともに略矩形平板状とされている。このような構成とすることで、部品点数を削減でき、製造時や組立時等における取り扱い性を向上させることができ、また、前面側から見た際における見栄えを向上させることができる。
本実施形態では、上述のように、これら各扉１７，２７は、各扉１７，２７を閉鎖させた状態において、各収納室１０，２０の前方開口縁手前にアウトセット状に納められる構成とされている。なお、各収納室１０，２０の前方開口縁部に、略全周に亘って前方に向けて突出する突出片を設け、各扉１７，２７を、閉状態における後方側に開口した薄型箱形状とし、各収納室１０，２０の突出片を受け入れるようにしてアウトセット状に閉鎖する構造としてもよい。この場合は、各収納室１０，２０の突出片の基端部を、各収納室１０，２０の前方開口縁前面１５，２５として把握するようにしてもよい。また、各扉１７，２７の開閉態様としては、蝶番等の回動連結部材によって各扉１７，２７と各収納室１０，２０の一側部等とを連結して開閉可能とする態様としてもよく、回動軸と軸受部との組み合わせにより、開閉可能とする態様としてもよい。また、各扉１７，２７に取手等の手掛部を設けるようにしてもよい。
【００２５】
また、本実施形態では、ロッカー装置１は、上記した上下に複数段の収納室１０，２０と、これら収納室１０，２０の開口をそれぞれに開閉する扉１７，２７と、をそれぞれに有した複数のロッカー本体２を横並びに配設した構成とされている（図３及び図４参照）。図例では、それぞれに略同様の構成とされた二つのロッカー本体２，２を、横並びに配設した例を示している。このような構成とすることで、被収納物を上記した段差部に仮置き等する際に、これら複数のロッカー本体２，２の上段側収納室１０のうち、利用しない上段側収納室１０の前方に被収納物を仮置き等することができる。従って、利用しようとする上段側収納室１０の扉１７を開閉する際に、仮置き等した被収納物が邪魔になり難くなり、使い勝手をより向上させることができる。なお、横並びに配設されるロッカー本体２の個数としては、２つに限られず、３つ以上としてもよい。
【００２６】
また、これら複数のロッカー本体２，２の最上段の下段側収納室２０，２０の各突出収納部２６，２６の上板部（最上段の下段側収納室２０，２０の上板部２１，２１の突出した部位）２１ａ，２１ａに載置するようにしてこれら上板部２１ａ，２１ａを略全面に亘って覆う段差天板３を設けている。このような構成とすることで、これらロッカー本体２，２の各突出収納部２６，２６の上面側が段差天板３によって一連となってこれらの間に隙間が形成されないので、塵埃等を溜まり難くすることができる。また、上記段差部を利用して、メモ書き等をする際にもメモ書き等し易くなる。なお、複数のロッカー本体２，２を、この段差天板３によって連結するようにしてもよく、これに代えて、または加えて、適宜の連結手段によって連結するようにしてもよい。また、このように複数のロッカー本体２，２をそれぞれ別体とする態様に代えて、これら複数のロッカー本体２，２を一体的に構成した態様としてもよい。
【００２７】
段差天板３は、その左右寸法（幅寸法）が横並びに配設された複数のロッカー本体２，２のそれぞれの幅寸法を足し合わせた幅寸法と略同一寸法とされ、その前後寸法（奥行寸法）が各ロッカー本体２，２の突出寸法Ｄ３に応じた寸法とされている。本実施形態では、段差天板３の奥行寸法を、突出寸法Ｄ３に、上記のようにアウトセット状に納められる扉１７の厚さ寸法を加味した寸法としている。また、各ロッカー本体２，２のそれぞれの突出収納部２６，２６の直上において開閉される閉状態とされた扉１７，１７の下端面１７ｂ，１７ｂ（図２参照）と各突出収納部２６，２６の上板部２１ａ，２１ａとの間に段差天板３の厚さに応じた空隙を形成している。この空隙に、段差天板３の後端部３ｂを挿入するようにして、この段差天板３の後端面３ｃを上段側収納室１０の前方開口縁前面１５に当接させた構造としている。つまり、段差天板３の奥行寸法を、下段側収納室２０の閉状態とされた扉２７の前面２７ａから上段側収納室１０の前方開口縁前面１５までの前後寸法と略同一寸法としている。
【００２８】
上記のような構成とすることで、各ロッカー本体２，２の最下段の上段側収納室１０，１０の閉状態とされた各扉１７，１７の下端面１７ｂ，１７ｂと最上段の下段側収納室２０，２０の各突出収納部２６，２６の上面との間に形成された空隙を段差天板３によって塞ぐことができる。これにより、例えば、段差天板３の後端面３ｃと上段側収納室１０の前方開口縁前面１５との間に空隙を設けた場合と比べて、当該箇所への塵埃等の堆積を抑制することができる。なお、段差天板３の後端面３ｃと上段側収納室１０の前方開口縁前面１５との間に空隙を設けた態様としてもよい。
また、本実施形態では、この段差天板３の上面３ａを、最上段の下段側収納室２０の突出収納部２６の上面３ａとして把握し、この上面３ａを当該ロッカー装置１の高さ寸法Ｈ１の１／２以上の高さに位置させている。なお、最上段の下段側収納室２０の突出収納部２６の上板部２１ａの上面を、最上段の下段側収納室２０の突出収納部２６の上面として把握するようにしてもよい。
【００２９】
また、本実施形態では、各ロッカー本体２，２のそれぞれの最上面１６，１６となる最上段の上段側収納室１０，１０の上板部１１，１１に載置するようにしてこれら上板部１１，１１を略全面に亘って覆う上面天板４を設けている。このような上面天板４を設けることで、各ロッカー本体２，２の最上面１６，１６が上面天板４によって一連となってこれらの間に隙間が形成されないので、塵埃等を溜まり難くすることができる。
この上面天板４は、その左右寸法（幅寸法）が横並びに配設された複数のロッカー本体２，２のそれぞれの幅寸法を足し合わせた幅寸法と略同一寸法とされている。また、この上面天板４の前後寸法（奥行寸法）は、各ロッカー本体２，２の上段側収納室１０の閉状態とされた扉１７の前面１７ａから各ロッカー本体２，２の背面までの前後寸法と略同一寸法とされている。なお、このような上面天板４を設けないようにしてもよい。
【００３０】
また、本実施形態では、当該ロッカー装置１の下端部に、この下端部の前方に蹴込み状空間を形成するように前面５ａを下段側収納室２０の前面（図例では、閉状態とされた扉２７の前面）２７ａよりも後退させた台輪状部５を設けている。つまり、台輪状部５の前面５ａが下段側収納室２０の閉状態とされた扉２７の前面２７ａよりも後方側に位置するように台輪状部５を設けた例を示している。このような構成とすることで、下段側収納室２０を前方に突出させて奥行寸法Ｄ２を上段側収納室１０よりも大きくすることが可能でありながらも、上段側収納室１０に被収納物を出し入れする際に、台輪状部５の前方の蹴込み状空間に足先を納めることができるので、負担を軽減することができる。
また、このような台輪状部５を設けることで、最下段の下段側収納室２０が当該ロッカー装置１の設置面から浮くように設けられることとなるため、この最下段の下段側収納室２０に被収納物を出し入れする際における使い勝手を向上させることもできる。
【００３１】
この台輪状部５の前面５ａの下段側収納室２０の前面２７ａからの後退寸法（前後寸法）や台輪状部５の高さ寸法（当該ロッカー装置１の設置面から最下段の下段側収納室２０の突出収納部２６の下面までの寸法）としては、この台輪状部５によって形成される蹴込み状空間が、足先が納まる程度の空間となるように適宜、設定するようにしてもよい。例えば、当該ロッカー装置１の高さ寸法を低く抑える観点や当該ロッカー装置１の安定性等の観点から、台輪状部５の後退寸法及び高さ寸法を、５０ｍｍ〜１５０ｍｍ程度としてもよい。図例では、台輪状部５の後退寸法を、１００ｍｍ程度とし、台輪状部５の高さ寸法を、８０ｍｍ程度とした例を示している。なお、本実施形態のように、複数のロッカー本体２，２を横並びに配設する構成とした場合には、台輪状部５の前面５ａを、各ロッカー本体２，２の下端部前面に固定的に設けられた一連の板材によって構成するようにしてもよい。また、このような蹴込み状空間を形成する台輪状部５を設けないようにしてもよい。
【００３２】
また、上記した各ロッカー本体２，２の各収納室１０，２０の各扉１７，２７を、個別に施解錠可能とする態様としては、適宜、公知の電気的または機械的なロック機構の採用が可能である。図例では、複数のロッカー本体２，２の各収納室１０，２０のうち、単一の扉（左側ロッカー本体２の最上段の上段側収納室１０の扉）１７に、各収納室１０，２０の各扉１７，２７を個別に施解錠するための操作部６を設けた例を示している。このような構成とすることで、別途に操作部を設ける場合と比べて、省スペース化を図ることができる。また、操作部６を上段側収納室１０の扉１７に設けることで、操作性を向上させることができる。
【００３３】
なお、上記のような操作部６としては、現金の投入が可能とされた精算部や電子マネー決済システムを備えたものとしてもよい。また、各扉１７，２７の施解錠態様としては、鍵の操作による施解錠態様や、ＩＣカードの接触または近接による施解錠態様の他、パスワード等の入力による施解錠態様を採用するようにしてもよい。また、複数の収納室１０，２０の各扉１７，２７のうちの単一の扉１７に操作部６を設ける態様に代えて、各収納室１０，２０の各扉１７，２７に、各扉１７，２７を施解錠するための操作部をそれぞれに設ける態様としてもよい。また、扉１７，２７に操作部を設ける態様に代えて、各扉１７，２７を施解錠するための操作部を別途に設ける態様としてもよい。
また、各ロッカー本体２，２の各収納室１０，２０を区画する各板部や各扉は、金属系材料や、硬質合成樹脂系材料、木質系材料等から適宜、形成されたものとしてもよい。
【００３４】
また、本実施形態では、複数のロッカー本体２，２の最上段の下段側収納室２０，２０の各突出収納部２６，２６の上板部２１ａ，２１ａを略全面に亘って覆う段差天板３を設けた例を示しているが、このような段差天板３を設けないようにしてもよい。
また、本実施形態では、複数のロッカー本体２，２を横並びに配設したロッカー装置１を例示しているが、単一のロッカー本体２からなるロッカー装置１としてもよい。
また、本実施形態では、下段側収納室２０の段数を上段側収納室１０の段数よりも多くした例を示しているが、下段側収納室２０の段数を上段側収納室１０の段数よりも少なくするようにしてもよい。つまりは、当該ロッカー装置１の設置面から最上段の下段側収納室２０の突出収納部２６の上面３ａまでの高さ寸法Ｈ２を、ロッカー装置１の高さ寸法Ｈ１の１／２未満としてもよい。
【００３５】
また、本実施形態では、下段側収納室２０の奥行寸法Ｄ２を、上段側収納室１０の奥行寸法Ｄ１の２倍未満とした例を示しているが、下段側収納室２０の奥行寸法Ｄ２を、上段側収納室１０の奥行寸法Ｄ１の２倍以上としてもよい。
また、本実施形態では、上段側収納室１０の前面１７ａから下段側収納室２０の前面２７ａまでの突出寸法Ｄ３を、上段側収納室１０の奥行寸法Ｄ１の１／２以上とした例を示しているが、この突出寸法Ｄ３を、上段側収納室１０の奥行寸法Ｄ１の１／２未満としてもよい。
また、本実施形態では、上下に複数段の上段側収納室１０を設け、その下側に上下に複数段の下段側収納室２０を設けた例を示しているが、これら上段側収納室１０及び下段側収納室２０の両方または一方を一段からなるものとしてもよい。
また、本実施形態では、各収納室１０，２０の各扉１７，２７を、同一モジュールとした例を示しているが、それぞれの扉を異なる構成とされたものとしてもよい。
【符号の説明】
【００３６】
１        ロッカー装置
５        台輪状部
５ａ      台輪状部の前面
１０      上段側収納室（上段側の収納室）
１７      扉
２０      下段側収納室（下段側の収納室）
２６      突出収納部
２７      扉
２７ａ    下段側収納室の前面
Ｄ１      上段側収納室の奥行寸法
Ｄ２      下段側収納室の奥行寸法
Ｈ        開口高寸法
Ｗ        開口幅寸法
【図１】
0005935017.tif 000002
【図２】
0005935017.tif 000003
【図３】
0005935017.tif 000004
【図４】
0005935017.tif 000005